【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
被験者が食直前に測定を実行すると、食直前尿糖値を出力する食直前尿糖測定手段と、
前記食直前尿糖測定手段による食直前尿糖値の測定から所定時間経過後に食後尿糖値を測定すべき旨を報知する食後尿糖時報手段と、
前記食後尿糖時報手段による報知後に前記被験者が測定を実行すると、食後尿糖値を出力する食後尿糖測定手段と、
前記食後尿糖測定手段により測定した食後尿糖値と前記食直前尿糖測定手段により測定した食直前尿糖値との差を尿糖変化値として演算する尿糖変化値演算手段と、
前記尿糖変化値演算手段により演算した尿糖変化値を出力する尿糖変化情報出力手段と、
を備えることを特徴とする尿糖計。
【請求項２】
前記食直前尿糖値の測定から所定時間経過後は、食直前尿糖値の測定から２時間経過後であることを特徴とする請求項１記載の尿糖計。
【請求項３】
前記尿糖変化値演算手段により演算した尿糖変化値に基づいて身体内の糖量変化の可否について判定する糖量変化可否判定手段を更に備え、
前記尿糖変化情報出力手段は、更に、前記糖量変化可否判定手段により判定した身体内の糖量変化の可否についての指標を出力する
ことを特徴とする請求項１又は２記載の尿糖計。
【請求項４】
前記糖量変化可否判定手段は、身体内の糖量変化の可否について、尿糖変化値≦２０mg/dlの場合には可に該当する「良好」、２０mg/dl＜尿糖変化値≦５０mg/dlの場合には否に該当する「やや高い」、５０mg/dl＜尿糖変化値の場合には否に該当する「高い」と判定することを特徴とする請求項３記載の尿糖計。
【請求項５】
前記食後尿糖時報手段は、更に、前記糖量変化可否判定手段により判定した身体内の糖量変化が可でない場合に、前記食後尿糖測定手段による前記食後尿糖値の測定から所定時間経過後に別の食後尿糖値を測定すべき旨を報知し、
前記食後尿糖測定手段は、前記食後尿糖時報手段による報知後に前記被験者が測定を実行すると、前記別の食後尿糖値を出力し、
前記尿糖変化値演算手段は、前記食直前尿糖値と前記別の食後尿糖値との差を演算する
ことを特徴とする請求項３又は４記載の尿糖計。
【請求項６】
前記食後尿糖値の測定から所定時間経過後は、食後尿糖値の測定から１時間経過後であることを特徴とする請求項５記載の尿糖計。
【請求項７】
前記食直前尿糖測定手段により食直前尿糖値を測定する前に食前尿糖値を測定する食前尿糖測定手段と、
前記食前尿糖測定手段による食前尿糖値の測定から所定時間経過後に食直前尿糖値を測定すべき旨を報知する食直前尿糖時報手段と、
を更に備えることを特徴とする請求項１乃至６のうちいずれか１項に記載の尿糖計。
【請求項８】
前記食前尿糖値の測定から所定時間経過後は、食前尿糖値の測定から１時間経過後であることを特徴とする請求項７記載の尿糖計。
【請求項９】
被験者が基準食の食直前に測定を実行すると、基準食直前尿糖値を出力する基準食直前尿糖測定手段と、
前記基準食直前尿糖測定手段による基準食直前尿糖値の測定から所定時間経過後に基準食後尿糖値を測定すべき旨を報知する基準食後尿糖時報手段と、
前記基準食後尿糖時報手段による報知後に前記被験者が測定を実行すると、基準食後尿糖値を出力する基準食後尿糖測定手段と、
前記基準食後尿糖測定手段により測定した基準食後尿糖値と前記基準食直前尿糖測定手段により測定した基準食直前尿糖値との差を基準尿糖変化値として演算する基準尿糖変化値演算手段と、
被験者が通常食の食直前に測定を実行すると、通常食直前尿糖値を出力する通常食直前尿糖測定手段と、
前記通常食直前尿糖測定手段による通常食直前尿糖値の測定から所定時間経過後に通常食後尿糖値を測定すべき旨を報知する通常食後尿糖時報手段と、
前記通常食後尿糖時報手段による報知後に前記被験者が測定を実行すると、通常食後尿糖値を出力する通常食後尿糖測定手段と、
前記通常食後尿糖測定手段により測定した通常食後尿糖値と前記通常食直前尿糖測定手段により測定した通常食直前尿糖値との差を通常尿糖変化値として演算する通常尿糖変化値演算手段と、
前記通常尿糖変化値演算手段により演算した通常尿糖変化値と前記基準尿糖変化値演算手段により演算した基準尿糖変化値との差を食差尿糖変化値として演算する食差尿糖変化値演算手段と、
前記食差尿糖変化値演算手段により演算した食差尿糖変化値を出力する食差尿糖変化情報出力手段と、
を備えることを特徴とする尿糖計。
【請求項１０】
前記基準食直前尿糖値の測定から所定時間経過後及び前記通常食直前尿糖値の測定から所定時間経過後は、基準食直前尿糖値の測定から２時間経過後及び通常食直前尿糖値の測定から２時間経過後であることを特徴とする請求項９記載の尿糖計。
【請求項１１】
前記食差尿糖変化値演算手段により演算した食差尿糖変化値に基づいて通常の食事内容の可否について判定する食事内容可否判定手段を更に備え、
前記食差尿糖変化情報出力手段は、更に、前記食事内容可否判定手段により判定した通常の食事内容の可否についての指標を出力する
ことを特徴とする請求項９又は１０記載の尿糖計。
【請求項１２】
前記糖量変化可否判定手段は、通常の食事内容の可否について、食差尿糖変化値＜−５０mg/dlの場合には可に該当する「少ない」、−５０mg/dl≦食差尿糖変化値≦５０mg/dlの場合には否に該当する「同等」、５０mg/dl＜食差尿糖変化値の場合には否に該当する「多い」と判定することを特徴とする請求項１１記載の尿糖計。
【請求項１３】
前記基準食直前尿糖測定手段により基準食直前尿糖値を測定する前に基準食前尿糖値を測定する基準食前尿糖測定手段と、
前記基準食前尿糖測定手段による基準食前尿糖値の測定から所定時間経過後に基準食直前尿糖値を測定すべき旨を報知する基準食直前尿糖時報手段と、
前記通常食直前尿糖測定手段により通常食直前尿糖値を測定する前に通常食前尿糖値を測定する通常食前尿糖測定手段と、
前記通常食前尿糖測定手段による通常食前尿糖値の測定から所定時間経過後に通常食直前尿糖値を測定すべき旨を報知する通常食直前尿糖時報手段と、
を更に備えることを特徴とする請求項９乃至１２のうちいずれか１項に記載の尿糖計。
【請求項１４】
前記基準食前尿糖値の測定から所定時間経過後及び前記通常食前尿糖値の測定から所定時間経過後は、基準食前尿糖値の測定から１時間経過後及び通常食前尿糖値の測定から１時間経過後であることを特徴とする請求項１３記載の尿糖計。
【手続補正２】
【補正対象書類名】明細書
【補正対象項目名】０００７
【補正方法】変更
【補正の内容】
【０００７】
上記目的を達成するために、一つの観点によると、本発明の尿糖計は、被験者が食直前に測定を実行すると、食直前尿糖値を出力する食直前尿糖測定手段と、前記食直前尿糖測定手段による食直前尿糖値の測定から所定時間経過後に食後尿糖値を測定すべき旨を報知する食後尿糖時報手段と、前記食後尿糖時報手段による報知後に前記被験者が測定を実行すると、食後尿糖値を出力する食後尿糖測定手段と、前記食後尿糖測定手段により測定した食後尿糖値と前記食直前尿糖測定手段により測定した食直前尿糖値との差を尿糖変化値として演算する尿糖変化値演算手段と、前記尿糖変化値演算手段により演算した尿糖変化値を出力する尿糖変化情報出力手段と、を備えることを特徴とする。
【手続補正３】
【補正対象書類名】明細書
【補正対象項目名】００１１
【補正方法】変更
【補正の内容】
【００１１】
また、この観点の別の形態によると、前記食後尿糖時報手段は、更に、前記糖量変化可否判定手段により判定した身体内の糖量変化が可でない場合に、前記食後尿糖測定手段による前記食後尿糖値の測定から所定時間経過後に、別の食後尿糖値を測定すべき旨を報知し、前記食後尿糖測定手段は、前記食後尿糖時報手段による報知後に前記被験者が測定を実行すると、前記別の食後尿糖値を出力し、前記尿糖変化値演算手段は、前記食直前尿糖値と前記別の食後尿糖値との差を演算する。
【手続補正４】
【補正対象書類名】明細書
【補正対象項目名】００１５
【補正方法】変更
【補正の内容】
【００１５】
また、別の観点によると、本発明の尿糖計は、被験者が基準食の食直前に測定を実行すると、基準食直前尿糖値を出力する基準食直前尿糖測定手段と、前記基準食直前尿糖測定手段による基準食直前尿糖値の測定から所定時間経過後に基準食後尿糖値を測定すべき旨を報知する基準食後尿糖時報手段と、前記基準食後尿糖時報手段による報知後に前記被験者が測定を実行すると、基準食後尿糖値を出力する基準食後尿糖測定手段と、前記基準食後尿糖測定手段により測定した基準食後尿糖値と前記基準食直前尿糖測定手段により測定した基準食直前尿糖値との差を基準尿糖変化値として演算する基準尿糖変化値演算手段と、被験者が通常食の食直前に測定を実行すると、通常食直前尿糖値を出力する通常食直前尿糖測定手段と、前記通常食直前尿糖測定手段による通常食直前尿糖値の測定から所定時間経過後に通常食後尿糖値を測定すべき旨を報知する通常食後尿糖時報手段と、前記通常食後尿糖時報手段による報知後に前記被験者が測定を実行すると、通常食後尿糖値を出力する通常食後尿糖測定手段と、前記通常食後尿糖測定手段により測定した通常食後尿糖値と前記通常食直前尿糖測定手段により測定した通常食直前尿糖値との差を通常尿糖変化値として演算する通常尿糖変化値演算手段と、前記通常尿糖変化値演算手段により演算した通常尿糖変化値と前記基準尿糖変化値演算手段により演算した基準尿糖変化値との差を食差尿糖変化値として演算する食差尿糖変化値演算手段と、前記食差尿糖変化値演算手段により演算した食差尿糖変化値を出力する食差尿糖変化情報出力手段と、を備えることを特徴とする。
【手続補正５】
【補正対象書類名】明細書
【補正対象項目名】００２１
【補正方法】変更
【補正の内容】
【００２１】
本発明の尿糖計は、食直前尿糖測定手段により、被験者が食直前に測定を実行すると、食直前尿糖値を出力し、食後尿糖時報手段により所定時間（好ましくは２時間）経過後に食後尿糖値を測定すべき旨を報知し、この報知後に被験者が測定を実行すると、食後尿糖測定手段により食後尿糖値を出力し、尿糖変化値演算手段により食後尿糖値と食直前尿糖値との差を示す尿糖変化値を演算し、尿糖変化情報出力手段により尿糖変化値を出力する。これによると、食直前及び食後だけの測定である。また、摂取した食事に基づいて血液中に生じる高血糖状態は、食直前の測定により、それ以前に膀胱に溜まっていた尿を排尿することによって、所定時間経過後の測定で得られる尿糖変化値に反映される。換言すると、身体代謝機能が不十分により食事後に身体内で利用が行われないほとんどの糖量を確保できる。したがって、被測定者にとって、手間が少なく信頼性の高い尿糖変化値を提供することができる。
【手続補正６】
【補正対象書類名】明細書
【補正対象項目名】００２５
【補正方法】変更
【補正の内容】
【００２５】
また、食後尿糖時報手段において、判定結果が身体内の糖量変化が可でない場合に、所定時間（好ましくは１時間）経過後に、別の食後尿糖値を測定すべき旨を報知し、食後尿糖測定手段において、食後尿糖時報手段による報知後に被験者が測定を実行すると、別の食後尿糖値を出力し、尿糖変化値演算手段において、食直前尿糖値と別の食後尿糖値との差を演算することで、被測定者とって、継続して、尿糖変化値及び糖に対する身体代謝機能の判定結果を提供することができる。
【手続補正７】
【補正対象書類名】明細書
【補正対象項目名】００２９
【補正方法】変更
【補正の内容】
【００２９】
また、本発明の尿糖計は、基準食直前尿糖測定手段により、被験者が基準食の食直前に測定を実行すると基準食直前尿糖値を出力し、基準食後尿糖時報手段により所定時間（好ましくは２時間）経過後に基準食後尿糖値を測定すべき旨を報知し、この報知後に被験者が測定を実行すると、基準食後尿糖測定手段により基準食後尿糖値を出力し、基準尿糖変化値演算手段により基準食後尿糖値と基準食直前尿糖値との差を示す基準尿糖変化値を演算し、通常食直前尿糖測定手段により、被験者が通常食の食直前に測定を実行すると、通常食直前尿糖値を出力し、通常食後尿糖時報手段により所定時間（好ましくは２時間）経過後に通常食後尿糖値を測定すべき旨を報知し、この報知後に被験者が測定を実行すると、通常食後尿糖測定手段により通常食後尿糖値を出力し、通常尿糖変化値演算手段により通常食後尿糖値と通常食直前尿糖値との差を示す通常尿糖変化値を演算し、食差尿糖変化値演算手段により通常尿糖変化値と基準尿糖変化値との差を示す食差尿糖変化値を演算し、食差尿糖変化情報出力手段により食差尿糖変化値を出力する。これによると、被測定者にとって、摂取する食事内容の違いによる信頼性の高い食差尿糖変化値を提供することができる。
【手続補正８】
【補正対象書類名】図面
【補正対象項目名】図５
【補正方法】変更
【補正の内容】
【図５】
2006153849.tif 000001
【手続補正９】
【補正対象書類名】図面
【補正対象項目名】図６
【補正方法】変更
【補正の内容】
【図６】
2006153849.tif 000002